(57)【要約】【課題】植栽ポットの配送に於ける破損及び嵩張りの解消することにあり、又埋め立て処理等の嵩張りの解消に本発明はこれの解決にある。【解決手段】前記の配送にも衝撃で破損する事も無く、平たく伸ばして送れば嵩張りの問題も解決され、使用後にはブラホックをニッパーで取れば、同一素材となり、再生も可能となる。又可燃素材を採用することに依り焼却処理も可能となり、地球に優しい植栽ポットとなる。【選択図】  図３
2005021143.tif 000002
【特許請求の範囲】
【請求項１】
耐水性を有する板状素材を方形にカットし、方形の相対する左右端に半円形やＵ字形又はＶ字形の折線を中央部が狭まる形状で形成し、折線を形成しない他の２辺の中央部に半円形やＵ字形又はＶ字形のカットを形成して、カット線側の両辺を合わせて円筒形にしてカットを上側として固着し、前記の左右の折線を円筒形の内側になる様に折曲げて、形成される事を特徴とする組立て式植栽ポット。
【請求項２】
請求項１の上部の固着の方法が２０ｍｍ程度の間隔でホック金具の凹と凸を縦に付け、その中央部に図１の如き折曲げ線を設け、相対する面を固着するのに相対する面の適宜位置に凸部金具の外径よりやや大きな穴を設け、その穴を潜らせて凹と凸の金具を留めることにより固着する方式の植栽ポット。
【請求項３】
差し込み固着するものよりやや大きめの外寸の折れ線円を型抜きし、その中心部に直径４ミリ程度の円形を打抜き、この円の外径から前記の折れ線円に放射状に３本以上の切り込みを入れることを特徴とするペン差し付き卓上ポット。
【発明の詳細な説明】
【技術分野】
【０００１】  本発明は、植物の植栽に関する栽培鉢に関するものである。
【背景技術】
【０００２】  従来の植栽鉢は円筒形、角型、鉢型、皿型等で底が既に形成されていて、使用しない場合にも保管するのに、鉢状に既に形成された状態の保管となり、相当のスペースを必要とする。【０００３】  アパート、マンション等の狭い居住で花鉢等を購入して、植物が枯れた場合には、前記鉢類が嵩張り、場所をとり不便である。【０００４】  又廃棄するにも陶器、塩ビ、ガラス、プラスチック製等雑多であり、燃やせるゴミ、埋め立てるゴミ、再生するゴミ等で分別廃棄が面倒である。【０００５】  この改善策として本発明の目的は、上記の欠点を解決する植木鉢を提供するものである。
【発明の開示】
【発明が解決しようとする課題】
【０００６】  従来の植栽鉢は円筒形、角型、鉢型、皿型等で底が既に形成されていて、使用しない場合にも保管するのに、鉢状に既に形成された状態の保管となり、相当のスペースを必要とする点である。
【課題を解決するための手段】
【０００７】  本発明の（１）の手段は耐水性を有する１枚の板状素材を方形にカットし、その方形の相対する左右端に半円形やＵ字形又はＶ字形の折線を中央部が狭まる形状で形成し、折線を形成しない他の２辺の中央部に半円形やＵ字形又はＶ字形のカットを形成して、カット線側の両辺を合わせて円筒形にして器の上側として固着し、前記の左右の折線を円筒形の内側になる様に折曲げて、形成される事を特徴とする組立て式植栽ポットである。【０００８】    本発明の（２）の手段は形成する器の上側の固着をプラホック等で留め外し自在にした点にあり、しかもその固着する方式を凸プラホックの外径よりやや大きめの穴を第２図３、３’の如く設け、その穴に凸ブラホックを潜らせて凹プラホックで留めることにより固着を容易にした点にある。【０００９】    本発明の（３）の手段はこの植栽ポットに切り込みを工夫して、ペン差しを設けた点にある。【００１０】    以下、本発明について、図面を参照して実施形態（実施例）とともに詳細に説明する。【００１１】    なお、実施形態（実施例）を説明するために全図において、同一機能を有するものは同一符号を付け、その繰り返しの説明は省略する。
【発明を実施するための最良の形態】  （実施形態１）【００１２】  図１は本発明の実施形態（実施例）１の植栽ポットのビク抜き内側正面図であり、図２は図１の１と１’にプラホックのバネ（凹）を付け、２と２’にゲンコ（凸）を取り付けた内側正面図であり、図３は本発明のＡ面（後）とＣ面（前）とを合わせて組立て、折曲げ線８、８’、１０、１１、を折曲げ、プラホック留めし完成したる外観正面図である。
図４は図３の左側側面図であり、図５は本発明の俯瞰図である。【００１３】  図１乃至図５においてＡは本植栽鉢の背面であり、Ｂは底面であり、Ｃは前面であり、Ｄは左底側面であり、Ｅは右底側面である。
１と１’はプラホックのバネ（凹）取付け穴であり、２と２’はブラホックのゲンコ（凸）取付け穴であり、１２と１２’はバネの取り付けたる図であり、１３と１３’はゲンコの取り付けたる図である。
３と３’は第３図の如くに、Ａ面とＢ面を合わせて組立てる時に、１３のゲンコと１３’のゲンコをそれぞれ通す穴である。
９と９’、４と４’は紐通し穴であり、第３図の如くにＡ面とＣ面を合わせて組立てたる場合に、９と４、９’と４’が重なってそれぞれ貫通穴となり、紐通し穴が形成される。
１０と１１は底部の折れ線であり、これに左右に隣接して、緩やかなＵ字形の折れ線８と８’を図１の如くに形成し、組み立てた場合にこの線で中央に織り込む事によりＤとＥが底の左右側面の作用をする。
５と５’はペン立てで図１の如くに差し込み固着するものよりやや大きめの外寸の折れ線円を型抜きし、その中心部に直径４ミリ程度の円形を打抜き、この円の外径から前記の折れ線円に放射状に４本の切り込みを入れることによりペンを挿入して保持が可能となる。【００１４】  ６のダイヤと７のハートの打ち抜きは本発明のポットの模様である。
【発明の効果】
【００１５】
【００１６】  耐水性のある板状の素材をビク抜きして、二組のプラホックセットでの固着により容易に立体形成出来るので、比較的安価にきれいな植栽ポットができる。
【００１７】  使用する前、使用後の保管はブラホックを外す事に依って平たく伸ばして保持出来るので、場所を取らないので経済的である。
【００１８】  水苔等で植栽することに依り、過度の給水をしても横の開放部から流れ出るので過給水に依る根腐れを起こしにくい。
【００１９】  ペンを挿入する穴も同一ポットに設けてあり、応接机の机上飾りに最適である。
【００２０】  板状素材のビク抜き、組み立てなので、印刷等も容易に出来てギフトに最適な植栽ポットとなり、屋内での緑のものを育てる風習を強力にアッピール出来て、事務室内の緑化にも役立ち、地球の環境の改善に寄与する作用効果も出る。
【００２１】  容器に永年使用して廃棄するのにもニッパーでプラホックを挟み切ると、分離出来るので分別処理が容易でブラホック以外は同一素材で再生も可能となる。
【図面の簡単な説明】
【００２２】
【図１】本発明の実施形態（実施例）１のビク抜き内側の展開図である。
【図２】本発明の実施形態（実施例）１のビク抜きしたものに、ブラホックを装填した内側の展開図である。
【図３】本発明の実施形態（実施例）１の組み立て正面図である。
【図４】本発明の実施形態（実施例）１の左側側面図である。
【図５】本発明の実施形態（実施例）１の俯瞰図である。
【符号の説明】
１と１’  プラホックのバネ取り付け穴
２と２’  プラホックのゲンコ取り付け穴
３と３’  プラホックのゲンコ通し穴
４と４’、９と９’  紐通し穴
５と５’  ペン挿し穴
６ダイヤ模様の打ち抜き
７  ハート模様の打ち抜き
８と８’  側面形成のすじ押し折れ線
１０と１１  底面形成のすじ押し折れ線
１２と１２’  プラホックのバネ取り付け
１３と１３’  プラホックのゲンコ取り付け
【図１】
2005021143.tif 000003
【図２】
2005021143.tif 000004
【図３】
2005021143.tif 000005
【図４】
2005021143.tif 000006
【図５】
2005021143.tif 000007